(57)【特許請求の範囲】
【請求項１】
基板に実装された第１コネクタに挿し込まれた第２コネクタの抜けを防止するコネクタ抜け防止構造であって、
前記第２コネクタは、前記第１コネクタに対する前記第２コネクタの挿抜方向において、
前記第１コネクタ側に配置される第１面と、
前記第１面の反対側に配置される第２面と、
を備え、
前記第２面に対向する対向面を有する対向部材と、
前記対向面から前記第２面に向けて突出する突出部材と、
を有してなり、
前記第２コネクタには、フラットケーブルが接続され、
前記フラットケーブルは、前記第２コネクタの短手方向における側面から延出され、
前記対向部材は、
前記第２コネクタの前記側面に対向する第２対向面、
を備え、
前記第１コネクタにおける前記フラットケーブルが延出される側の前記側面と、前記第２対向面と、の間には、前記フラットケーブルの厚みと略同じ幅の隙間が形成される、
ことを特徴とするコネクタ抜け防止構造。
【請求項２】
前記突出部材は、
前記第２面に対向する先端面、
を備え、
前記第１コネクタは、
第１コンタクト、
を備え、
前記第２コネクタは、
前記第１コンタクトに対応する第２コンタクト、
を備え、
前記対向面と前記先端面との間の第１長さは、前記対向面と前記第２面との間の第２長さ以下であり、
前記第１コンタクトは、前記挿抜方向において、前記第２コンタクトと所定の第３長さの範囲で電気的に接続し、
前記第２面と前記先端面との間の第４長さは、前記第３長さより短い、
請求項１記載のコネクタ抜け防止構造。
【請求項３】
前記先端面は、前記第２面に当接する、
請求項２記載のコネクタ抜け防止構造。
【請求項４】
前記対向部材は、
前記挿抜方向において前記対向部材を貫通する貫通孔と、
前記対向面の反対側の非対向面と、
を備え、
前記突出部材は、
前記挿抜方向において、前記第２コネクタの反対側に向けられる後端面、
を備え、
前記突出部材は、前記貫通孔に嵌め込まれ、
前記後端面は、前記非対向面と面一に配置される、
請求項１乃至３のいずれかに記載のコネクタ抜け防止構造。
【請求項５】
前記対向部材は、前記基板と前記第１コネクタと前記第２コネクタとを収容するケースの一部であり、
前記突出部材は、前記対向部材に圧入されたセルスタッド、セルファスナ、またはセルスペーサである、
請求項４記載のコネクタ抜け防止構造。
【請求項６】
前記突出部材は、前記対向部材に対して前記挿抜方向に進退可能に取り付けられる、
請求項１乃至３のいずれかに記載のコネクタ抜け防止構造。
【請求項７】
前記挿抜方向に直交する方向において、前記突出部材の幅は、前記第２面の幅以下である、
請求項１乃至６のいずれかに記載のコネクタ抜け防止構造。
【発明の詳細な説明】
【技術分野】
【０００１】
本発明は、プラグ抜け防止構造に関する。
【背景技術】
【０００２】
電子機器の筐体内において、例えば、基板および／または機器同士の接続には、フラットケーブルが用いられる。フラットケーブルは、平板状で曲げに強いため、筐体内で折り曲げられた状態で用いられる。そのため、フラットケーブルのコネクタには、フラットケーブルの復元力により、プラグ（またはソケット）がソケット（またはプラグ）から抜け落ちる方向に働く応力が加えられ得る。また、コネクタに加えられる振動や、プラグがソケットから受ける応力（コネクタにおける自己応力）などによっても、プラグ（またはソケット）がソケット（またはプラグ）から抜け落ちる方向に働く応力が加えられ得る。
【０００３】
これまでにも、このような応力によるプラグ（またはソケット）の抜け落ちを防止するための技術が提案されている（例えば、特許文献１、非特許文献１参照）。
【０００４】
特許文献１に開示された技術では、ソケットの長手方向の両端部にロックレバーが取り付けられる。ロックレバーは、支軸に揺動可能に連結される。ロックレバーの先端は、フック状であり、ソケットに対応するプラグの長手方向の両端部に配置された凹部に掛けられる。このように、同技術では、ロックレバーと凹部とにより構成されるロック機構により、ソケットは、プラグにロックされる。
【０００５】
非特許文献１に開示された技術では、コネクタとは別体のロックレバーが、コネクタに取り付けられる。ロックレバーは、ソケットの短手方向の側面に配置され、ソケットの極（向き）を確定させる凸部に嵌め込まれる。ロックレバーの上半部はソケットから離れる方向に傾斜し、ロックレバーの下半部はソケットの側面に沿ってソケットの下端よりも下方に延出される。ロックレバーの下端は、フック状であり、プラグの下端に配置されるスリットに掛けられる。その結果、ソケットは、プラグにロックされる。一方、ロックレバーの上半部がソケット側に押されると、ロックレバーの下端はスリットから離れ、ロックは解除される。
【０００６】
近年、電子機器の小型化が進むに連れて、筐体内の基板に隣接して実装される素子および／またはコネクタ同士の間隔は、狭くなる傾向にある。その結果、特許文献１に開示された技術では、ロック機構およびロック機構の操作に必要な空間の確保が難しく、同技術を用いたコネクタが使用可能な領域は制限され得る。また、非特許文献１に開示された技術であっても、ロックレバーの上半部の傾斜部分およびロックレバーの操作に必要な空間の確保が難しく、同技術を用いたコネクタが使用可能な領域も制限され得る。すなわち、従来の技術では、コネクタを基板に実装するために、コネクタ自身の床面積だけでなく、コネクタの周囲にロック機構またはロックレバーの配置・操作に必要な領域分の床面積の確保が必要となる。その結果、基板におけるコネクタの配置の自由度は、制限される。また、コネクタの周囲にロック機構またはロックレバーの配置・操作に必要な領域分の床面積が確保できない狭い領域（以下「狭領域」という。）に実装されたコネクタに対して、コネクタの抜けを防止する従来の技術は、採用できない。そのため、従来、狭領域に実装されたコネクタに対しては、プラグに対してソケット側に向かう応力がフラットケーブルから加えられるようにフラットケーブルが配線される技術が用いられていた。この場合、フラットケーブルの配線の自由度は、制限される。
【先行技術文献】
【特許文献】
【０００７】
【特許文献１】特開２０００−３６３６０号公報
【非特許文献】
【０００８】
【非特許文献１】「フラットケーブルコネクタ（汎用タイプ）XG4データシート」、オムロン株式会社、19p、［online］、［令和３年６月４日検索］、インターネット＜https://www.fa.omron.co.jp/data_pdf/cat/xg4_ds_j_1_16.pdf?id=2907＞
【発明の概要】
【発明が解決しようとする課題】
【０００９】
本発明は、狭領域に実装されたコネクタに対するコネクタ抜け防止構造を提供することを目的とする。
【課題を解決するための手段】
【００１０】
本発明に係るコネクタ抜け防止構造は、基板に実装された第１コネクタに挿し込まれた第２コネクタの抜けを防止するコネクタ抜け防止構造であって、第２コネクタは、第１コネクタに対する第２コネクタの挿抜方向において、第１コネクタ側に配置される第１面と、第１面の反対側に配置される第２面と、を備え、第２面に対向する対向面を有する対向部材と、対向面から第２面に向けて突出する突出部材と、を有してなる、ことを特徴とする。
【発明の効果】
【００１１】
本発明によれば、狭領域に実装されたコネクタに対するコネクタ抜け防止構造を提供することができる。
【図面の簡単な説明】
【００１２】
【図１】（ａ）は本発明に係るコネクタ抜け防止構造を備えるスイッチャの要部を示す斜視図であり、（ｂ）は（ａ）のスイッチャのＡ矢視における斜視図である。
【図２】図１のスイッチャの機能ブロック図である。
【図３】図１のスイッチャが備える基板の模式断面図である。
【図４】（ａ）は図１のスイッチャが備える第１突出部材の周囲の拡大模式断面図であり、（ｂ）は図１のスイッチャが備える第２突出部材の周囲の拡大模式断面図である。
【発明を実施するための形態】
【００１３】
以下、図面を参照しながら、本発明に係るコネクタ抜け防止構造（以下「本構造」という。）の実施の形態について説明する。以下の説明において、本構造は、映像信号や音声信号などの電気信号を扱う放送施設などにおいて用いられるスイッチャ、に備えられているものとする。
【００１４】
●スイッチャ●
●スイッチャの構成
図１（ａ）は本構造を備えるスイッチャの要部を示す斜視図であり、（ｂ）は（ａ）のスイッチャのＡ矢視における斜視図である。
図２は、スイッチャの機能ブロック図である。
【００１５】
スイッチャ１は、放送施設などにおいて、複数（本実施の形態では４つ）の入力機器２（２ａ〜２ｄ）と１つの出力機器３との間に接続され、電気信号の流路を制御することにより、入力機器２と出力機器３との間の接続を選択的に切り替える。
【００１６】
入力機器２は、例えば、ビデオカメラ、マイクロホン、ＶＴＲ（Videotape recorder）など、映像信号や音声信号（電気信号）を生成する機器である。
【００１７】
出力機器３は、例えば、他のスイッチャ、モニタ、スピーカなど、スイッチャ１からの電気信号を表示し、または出力する機器である。
【００１８】
スイッチャ１は、ケース１０と、入力系統２０と、出力系統３０と、接続部４０と、切替部５０と、記憶部６０と、制御部７０と、基板８０と、コネクタ９０と、フラットケーブル１００と、突出部材１１０（図３と図４も参照。以下同じ。）と、を有してなる。本実施の形態において、ケース１０と突出部材１１０とは、本構造Ｃ（図３も参照。以下同じ。）を構成している。
【００１９】
ケース１０は、入力系統２０と、出力系統３０と、接続部４０と、記憶部６０と、制御部７０と、基板８０と、コネクタ９０と、フラットケーブル１００と、突出部材１１０と、を収容する。ケース１０は、例えば、金属製で、上下方向に扁平な直方体状である。
【００２０】
入力系統２０は、入力機器２から出力された電気信号を受信し、同電気信号を接続部４０へ伝送する。入力系統２０は、４つの個別入力系統２１，２２，２３，２４を備える。個別入力系統２１〜２４は、例えば、ＨＤＭＩ（登録商標）（High-Definition Multimedia Interface）の入力端子である。
【００２１】
出力系統３０は、接続部４０を介して伝送された入力系統２０からの電気信号を出力機器３へ出力する。出力系統３０は、１つの個別出力系統３１を備える。個別出力系統３１は、例えば、ＨＤＭＩ（登録商標）の出力端子である。
【００２２】
接続部４０は、後述する制御部７０からの制御信号に基づいて、個別入力系統２１〜２４と個別出力系統３１とを接続し、あるいは、接続を解除する。接続部４０は、例えば、選択的接続回路（セレクタ）である。
【００２３】
切替部５０は、個別入力系統２１〜２４と個別出力系統３１との接続を選択的に切り替えることにより、入力機器２と出力機器３との接続を切り替える。切替部５０は、例えば、スイッチなどの操作ボタンである。切替部５０は、スイッチャ１の使用者の操作に応じて選択信号を生成し、同選択信号を制御部７０に入力する。「選択信号」は、使用者の操作により選択された個別入力系統２１〜２４と個別出力系統３１との接続を示す信号である。使用者により切替部５０が操作されると、個別入力系統２１〜２４と個別出力系統３１との接続が切り替えられ、または、同接続が解除される。
【００２４】
記憶部６０は、スイッチャ１の動作に必要な情報を記憶する。記憶部６０は、例えば、ＲＡＭ（Random Access Memory）などの半導体メモリである。
【００２５】
制御部７０は、スイッチャ１の全体の動作を制御すると共に、切替部５０からの選択信号に基づいて制御信号を生成する。
【００２６】
「制御信号」は、切替部５０からの選択信号に基づいて、使用者により選択された個別入力系統２１〜２４と、個別出力系統３１と、を接続部４０に接続させる信号、または、接続を解除（切断）させる信号である。制御部７０は、例えば、ＣＰＵ（Central Processing Unit）などのマイクロプロセッサなどから構成されている。
【００２７】
図３は、基板８０の模式断面図である。
同図は、説明の便宜上、コネクタ９０とフラットケーブル１００と突出部材１１０とを併せて示す。同図は、後述する挿抜方向を、太い両方向矢印にて示す。
【００２８】
基板８０は、例えば、プリント基板である。基板８０は、例えば、接続部４０と切替部５０と記憶部６０と制御部７０と（図２参照）が実装された制御側基板８１と、個別入力系統２１〜２４と個別出力系統３１と（図２参照）が接続される入出力側基板８２と、を備える。制御側基板８１は、実装面８１ａを前方に向けた状態で、ケース１０の前壁１０ａの後方に、同前壁１０ａと平行に配置されている。入出力側基板８２は、実装面８２ａを上方に向けた状態で、ケース１０の後壁１０ｃの前方に、同後壁１０ｃに対して垂直に配置されている。
【００２９】
コネクタ９０は、フラットケーブル１００用のコネクタである。コネクタ９０は、制御側基板８１に取り付けられている制御側コネクタ９１と、入出力側基板８２に取り付けられている入出力側コネクタ９２と、を備える。
【００３０】
制御側コネクタ９１は、ＭＩＬ規格に準拠し、ロック機能を備えていない公知のフラットケーブルコネクタである。制御側コネクタ９１は、ソケット９１１と、プラグ９１２とを備える。
【００３１】
ソケット９１１は、対応するプラグ９１２に取り付けられる（プラグ９１２が挿入される）オス型のソケットである。ソケット９１１は、本発明における第１コネクタの例である。ソケット９１１は、制御側基板８１に実装されている。ソケット９１１は、制御側基板８１の実装面８１ａが向けられる方向（前方）に向けて開口している矩形箱状のソケット筐体９１１ａと、複数のソケットコンタクト９１１ｂと、を備える。複数のソケットコンタクト９１１ｂは、ソケット筐体９１１ａの内側に所定の間隔で配列されている。ソケットコンタクト９１１ｂは、本発明における第１コンタクトの例である。
【００３２】
プラグ９１２は、対応するソケット９１１に取り付けられる雌型のプラグである。プラグ９１２は、本発明における第２コネクタの例である。プラグ９１２は、対応するソケット９１１のソケット筐体９１１ａに挿入可能な直方体状のプラグ筐体９１２ａと、複数のプラグコンタクト９１２ｂと、を備える。複数のプラグコンタクト９１２ｂは、ソケットコンタクト９１１ｂに対応して、プラグ筐体９１２ａに所定の間隔で配列されている。ソケットコンタクト９１１ｂは、本発明における第２コンタクトの例である。プラグ筐体９１２ａは、プラグ９１２がソケット９１１に取り付けられているとき、ソケット９１１側（前側）に配置される第１面９１２ａ１と、第１面９１２ａ１の反対側（後側）に配置される第２面９１２ａ２と、を備える。
【００３３】
プラグ９１２は、対応するソケット９１１に取り付けられている。具体的には、プラグ筐体９１２ａは、第１面９１２ａ１をソケット９１１に向けた状態で、ソケット筐体９１１ａ内に挿入されている。ソケットコンタクト９１１ｂそれぞれは、対応するプラグコンタクト９１２ｂに挿入されている。ソケット９１１に対するプラグ９１２の挿抜方向（図３の紙面左右方向）において、ソケットコンタクト９１１ｂそれぞれは、対応するプラグコンタクト９１２ｂと電気的に接続されている。プラグ９１２の第２面９１２ａ２は、ケース１０の前壁１０ａの内面１０ａ２に対向している。すなわち、前壁１０ａの内面１０ａ２は、本発明における対向面の例である。ケース１０（前壁１０ａ）は、本発明における対向部材の例である。
【００３４】
入出力側コネクタ９２は、ＭＩＬ規格に準拠し、ロック機能を備えていない公知のフラットケーブルコネクタである。入出力側コネクタ９２の構成は、制御側コネクタ９１の構成と共通する。入出力側コネクタ９２は、ソケット９２１と、プラグ９２２とを備える。
【００３５】
ソケット９２１は、対応するプラグ９２２に取り付けられる（プラグ９２２が挿入される）オス型のソケットである。ソケット９２１は、入出力側基板８２に実装されている。ソケット９２１は、本発明における第１コネクタの別の例である。ソケット９２１は、入出力側基板８２の実装面８２ａが向けられる方向（上方）に向けて開口している矩形箱状のソケット筐体９２１ａと、複数のソケットコンタクト９２１ｂと、を備える。複数のソケットコンタクト９２１ｂは、ソケット筐体９２１ａの内側に所定の間隔で配列されている。ソケットコンタクト９２１ｂは、本発明における第１コンタクトの別の例である。
【００３６】
プラグ９２２は、対応するソケット９２１に取り付けられる雌型のプラグである。プラグ９２２は、本発明における第２コネクタの別の例である。プラグ９２２は、対応するソケット９２１のソケット筐体９２１ａに挿入可能な直方体状のプラグ筐体９２２ａと、複数のプラグコンタクト９２２ｂと、を備える。複数のプラグコンタクト９２２ｂは、ソケットコンタクト９２１ｂに対応して、プラグ筐体９２２ａに所定の間隔で配列されている。プラグコンタクト９２２ｂは、本発明における第２コンタクトの別の例である。プラグ筐体９２２ａは、プラグ９２２がソケット９２１に取り付けられているとき、ソケット９２１側（下側）に配置される第１面９２２ａ１と、第１面９２２ａ１の反対側（上側）に配置される第２面９２２ａ２と、を備える。ケース１０（上壁１０ｂ）は、本発明における対向部材の例である。
【００３７】
プラグ９２２は、対応するソケット９２１に取り付けられている。具体的には、プラグ筐体９２２ａは、第１面９２２ａ１をソケット９２１に向けた状態で、ソケット筐体９２１ａ内に挿入されている。このとき、ソケットコンタクト９２１ｂそれぞれは、対応するプラグコンタクト９２２ｂに挿入されている。ソケット９２１に対するプラグ９２２の挿抜方向（図３の紙面上下方向）において、ソケットコンタクト９２１ｂそれぞれは、対応するプラグコンタクト９２２ｂと電気的に接続されている。
【００３８】
フラットケーブル１００は、制御側コネクタ９１と入出力側コネクタ９２との間で電気信号を伝送する。フラットケーブル１００は、公知のフラットケーブルである。フラットケーブル１００の一端部は、プラグ９１２に取り付けられ、プラグ９１２の短辺側の側面から延出されている。一方、他端部はプラグ９２２に取り付けられ、プラグ９２２の短辺側の側面から延出されている。その結果、プラグコンタクト９１２ｂそれぞれは、フラットケーブル１００を介して、対応するプラグコンタクト９２２ｂと電気的に接続されている。
【００３９】
制御側コネクタ９１におけるフラットケーブル１００が延出されている側（上側）の側面と、ケース１０の上壁１０ｂの内面１０ｂ２と、の間には、フラットケーブル１００の厚みと略同じ幅（例えば、フラットケーブル１００の厚みの２倍以下程度の幅）の隙間が形成されている。同隙間は、少なくとも、従来のロック機構やロックレバーの取り付け・操作が不可能な程度に狭い狭領域である。フラットケーブル１００は、同隙間に配線されている。この場合、内面１０ｂ２は、本発明における第２対向面の例である。
【００４０】
図４は、突出部材１１０の周囲の拡大模式断面図であり、（ａ）は第１突出部材１１１の周囲の拡大模式断面図であり、（ｂ）は第２突出部材１１２の周囲の拡大模式断面図である。同図は、説明の便宜上、コネクタ９０も併せて示す。
【００４１】
突出部材１１０は、コネクタ９０の抜けを防止する。突出部材１１０は、例えば、公知のセルスタッドである。突出部材１１０は、例えば、炭素鋼やステンレス鋼などの金属製である。突出部材１１０は、制御側コネクタ９１に対応する第１突出部材１１１と、入出力側コネクタ９２に対応する第２突出部材１１２と、を備える。
【００４２】
第１突出部材１１１は、円板状のヘッド１１１ａと、ヘッド１１１ａの一方側の面から突出している略円柱状の雄ねじ部１１１ｂと、後端面１１１ａ１と、先端面１１１ｂ１と、を備える。後端面１１１ａ１は、ヘッド１１１ａの他方側の面であり、平面状である。先端面１１１ｂ１は、雄ねじ部１１１ｂの突出側の面である。先端面１１１ｂ１は、本発明における対向面の例である。雄ねじ部１１１ｂの外径は、プラグ９１２の第２面９１２ａ２の短手方向における長さ（幅）以下である。第１突出部材１１１は、ケース１０の前壁１０ａに配置される貫通孔１０ａｈにケース１０の外側から圧入されている。第１突出部材１１１は、制御側コネクタ９１のプラグ９１２の第２面９１２ａ２と対向する位置に配置され、第２面９１２ａ２に向けて突出している。その結果、先端面１１１ｂ１は、第２面９１２ａ２の中央部に対向している。後端面１１１ａ１は、前壁１０ａの外面１０ａ１と面一となるように配置されている。外面１０ａ１は、本発明における非対向面の例である。
【００４３】
第２突出部材１１２の構成は、第１突出部材１１１の構成と同じである。すなわち、第２突出部材１１２は、ヘッド１１２ａと、雄ねじ部１１２ｂと、後端面１１２ａ１と、先端面１１２ｂ１と、を備える。先端面１１２ｂ１は、本発明における対向面の例である。雄ねじ部１１２ｂの外径は、プラグ９２２の第２面９２２ａ２の短手方向における長さ（幅）以下である。第２突出部材１１２は、ケース１０の上壁１０ｂに配置される貫通孔１０ｂｈにケース１０の外側から圧入されている。第２突出部材１１２は、入出力側コネクタ９２のプラグ９２２の第２面９２２ａ２と対向する位置に配置され、上壁１０ｂの内面１０ｂ２から第２面９２２ａ２に向けて突出している。その結果、先端面１１２ｂ１は、第２面９２２ａ２の中央部に対向している。後端面１１２ａ１は、上壁１０ｂの外面１０ｂ１と面一となるように配置されている。外面１０ｂ１は、本発明における非対向面の例である。
【００４４】
●コネクタ９０と突出部材１１０との間の関係
次に、図３と図４とを参照しながら、コネクタ９０と突出部材１１０との間の関係について説明する。
【００４５】
プラグ９１２が対応するソケット９１１に取り付けられたとき、ソケット９１１に対するプラグ９１２の挿抜方向（図４の紙面左右方向）において、内面１０ａ２と先端面１１１ｂ１との間の長さ（以下「第１長さ」という。）Ｌ１１は、内面１０ａ２と第２面９１２ａ２との間の長さ（以下「第２長さ」という。）Ｌ１２よりも短い。すなわち、先端面１１１ｂ１は、第２面９１２ａ２とは当接していない。また、ソケットコンタクト９１１ｂは、同挿抜方向において、所定の長さ（以下「第３長さ」という。）Ｌ１３の範囲でプラグコンタクト９１２ｂと電気的に接続されている。そして、第２面９１２ａ２と先端面１１１ｂ１との間の長さ（以下「第４長さ」という。）Ｌ１４は、第３長さＬ１３よりも短い。この構成によれば、プラグ９１２がソケット９１１から抜ける方向（前方）に向けられる応力（以下「抜け応力」という。）がフラットケーブル１００からプラグ９１２に対して加えられたとき、プラグ９１２は、第２面９１２ａ２が先端面１１１ｂ１に当接するまでの範囲内でのみプラグ９１２がソケット９１１から抜ける方向（前方）に移動可能である。そして、第１突出部材１１１は、ケース１０の前壁１０ａに固定されている。そのため、第１突出部材１１１は、プラグ９１２からプラグが抜ける方向に向けて応力を加えられても、プラグ９１２の移動を規制できる。すなわち、プラグ９１２がソケット９１１から抜け落ちることはなく、ソケットコンタクト９１１ｂとプラグコンタクト９１２ｂとの間の電気的接続は「第３長さＬ１３−第４長さＬ１４」の範囲内で維持される。すなわち、ケース１０（前壁１０ａ）と第１突出部材１１１とは、制御側コネクタ９１の抜け防止構造Ｃとして機能する。
【００４６】
一方、プラグ９２２が対応するソケット９２１に取り付けられたとき、ソケット９２１に対するプラグ９２２の挿抜方向（図４の紙面上下方向）において、内面１０ｂ２と先端面１１２ｂ１との間の長さ（以下「第１長さ」という。）Ｌ２１は、内面１０ａ２と第２面９２２ａ２との間の長さ（以下「第２長さ」という。）Ｌ２２よりも短い。すなわち、先端面１１２ｂ１は、第２面９２２ａ２とは当接していない。また、ソケットコンタクト９２１ｂは、同挿抜方向において、所定の長さ（以下「第３長さ」という。）Ｌ２３の範囲でプラグコンタクト９２２ｂと電気的に接続されている。そして、第２面９２２ａ２と先端面１１２ｂ１との間の長さ（以下「第４長さ」という。）Ｌ２４は、第３長さＬ２３よりも短い。この構成によれば、プラグ９２２がソケット９２１から抜ける方向（上方）に向けられる応力（抜け応力）がフラットケーブル１００からプラグ９２２に対して加えられたとき、プラグ９２２は、第２面９２２ａ２が先端面９２１ｂ１に当接するまでの範囲内でのみプラグ９２２がソケット９２１から抜ける方向（上方）に移動可能である。そして、第２突出部材１１２は、ケース１０の上壁１０ｂに固定されている。そのため、第２突出部材１１２は、プラグ９２２からプラグが抜ける方向に向けて応力を加えられても、プラグ９２２の移動を規制できる。すなわち、プラグ９２２がソケット９２１から抜け落ちることはなく、ソケットコンタクト９２１ｂとプラグコンタクト９２２ｂとの間の電気的接続は「第３長さＬ２３−第４長さＬ２４」の範囲内で維持される。すなわち、ケース１０（上壁１０ｂ）と第２突出部材１１２とは、入出力側コネクタ９２の抜け防止構造Ｃとして機能する。
【００４７】
●まとめ
以上説明した実施の形態によれば、スイッチャ１は、ケース１０と突出部材１１０とを構成として含む本構造Ｃを有してなる。ケース１０は、制御側コネクタ９１のプラグ９１２の第２面９１２ａ２に対向している内面１０ａ２と、入出力側コネクタ９２のプラグ９２２の第２面９２２ａ２に対向している内面１０ｂ２と、を有する。突出部材１１０は、内面１０ａ２から第２面９１２ａ２に向けて突出している第１突出部材１１１と、内面１０ｂ２から第２面９２２ａ２に向けて突出している第２突出部材１１２と、を有してなる。この構成によれば、抜け応力がプラグ９１２に加えられても、プラグ９１２は、プラグ９１２の第２面９１２ａ２が第１突出部材１１１の先端面１１１ｂ１に当接するまでの範囲内においてのみ移動可能である。すなわち、プラグ９１２のソケット９１１からの抜け落ちは、第１突出部材１１１により防止される（第２突出部材１１２も入出力側コネクタ９２に対して同様に機能する）。また、基板８０において、コネクタ９０の周囲に突出部材１１０の配置に必要な領域は、不要である。このように、本構造Ｃは、コネクタ９０の周囲に従来のロック機構またはロックレバーの配置・操作に必要な領域分の床面積が確保できない狭い領域（以下「狭領域」という。）に実装されたコネクタ９０の抜け（ソケット９１１，９２１に対するプラグ９１２，９２２の抜け）を防止できる。
【００４８】
また、以上説明した実施の形態によれば、第１長さＬ１１，Ｌ２１は、第２長さＬ１２，Ｌ２２より短い。また、第４長さＬ１４，Ｌ２４は、第３長さＬ１３，Ｌ２３より短い。この構成によれば、抜け応力がプラグ９１２，９２２に加えられても、挿抜方向において、プラグ９１２，９２２は、第３長さＬ３以上には移動しない。すなわち、ソケットコンタクト９１１ｂ，９２１ｂとプラグコンタクト９１２ｂ，９２２ｂとの間の電気的接続は、常に確保される。
【００４９】
さらに、以上説明した実施の形態によれば、第１突出部材１１１は貫通孔１０ａｈに圧入され（嵌め込まれ）、第２突出部材１１２は貫通孔１０ｂｈに圧入されている（嵌め込まれている）。第１突出部材１１１の後端面１１１ａ１は、前壁１０ａの外面１０ａ１と面一となるように配置されている。第２突出部材１１２の後端面１１２ａ１は、上壁１０ｂの外面１０ｂ１と面一になるように配置されている。この構成によれば、ケース１０に対する突出部材１１０の数および配置は、ケース１０に対する貫通孔１０ａｈ，１０ｂｈの数および位置に対応し、自由に変更可能である。また、ケース１０の外面（外面１０ａ１，１０ｂ１）には不要な凹凸が形成されず（同外面（外面１０ａ１，１０ｂ１）は平滑に保たれる）、ケース１０の塗装などの仕上げへの悪影響は無い。したがって、突出部材１１０は、ケース１０の外観に悪影響を及ぼすことなく、コネクタ９０の抜けを防止できる。
【００５０】
さらにまた、以上説明した実施の形態によれば、本構造Ｃは、コネクタ９０を収容するケース１０の一部と、ケース１０に圧入されたセルスタッド（突出部材１１０）と、により構成されている。一般的に、セルスタッドの呼び径（外径）および長さの組み合わせは規格化されており、複数の組み合わせが存在している。また、セルスタッドは、用途に応じて、適宜設計されている。そのため、第２長さＬ１２，Ｌ２２とコネクタ９０の大きさ（第２面９１２ａ２，９２２ａ２の幅）とに合わせて、適切な突出部材１１０が、選択される。また、セルスタッドを機器の筐体および基板に取り付ける技術は確立されており、本構造Ｃは、種々の機器に対して容易に適用できる。
【００５１】
さらにまた、以上説明した実施の形態によれば、制御側コネクタ９１におけるフラットケーブル１００が延出される側（上側）の側面と、ケース１０の上壁１０ｂの内面１０ｂ２と、の間には、フラットケーブル１００の厚みと略同じ幅の隙間が形成されている。この構成によれば、従来のロックレバーの取り付けが不可能な狭領域にコネクタ９０が配置されても、本構造Ｃは、コネクタ９０の抜けを防止できる。
【００５２】
さらにまた、以上説明した実施の形態によれば、挿抜方向（前後方向）に直交する方向（上下方向）において、第１突出部材１１１の幅（直径）は、第２面９１２ａ２の幅以下である。また、挿抜方向（上下方向）に直交する方向（前後方向）において、第２突出部材１１２の幅（直径）は、第２面９２２ａ２の幅以下である。この構成によれば、基板８０において、コネクタ９０の周囲に突出部材１１０の配置に必要な領域は、不要である。このように、本構造Ｃは、狭領域に実装されたコネクタ９０の抜けを防止できる。
【００５３】
なお、本発明における突出部材は、セルスタッドに限定されない。すなわち、例えば、本発明における突出部材は、対向部材の貫通孔に、外側または内側から圧入される部材（例えば、セルファスナ、セルスペーサ、または、これらに類似の部材）でもよい。また、例えば、本発明における突出部材は、ボルト（ねじ）でもよい。この場合、ボルトの嵌め込み量が変更されることにより、ボルトは、ケースに対して挿抜方向に進退可能である。さらに、例えば、本発明における突出部材は、雄ねじ部や雌ねじ部を有さない柱状（円柱状、角柱状）の部材でもよい。さらにまた、本発明における突出部材の材質は、金属に限定されない。すなわち、例えば、本発明における突出部材の材質は、ＡＢＳ（アクリルニトリル−ブタジエン−スチレン共重合合成樹脂）などの合成樹脂でもよい。
【００５４】
また、本発明における突出部材の先端面は、コネクタの第２面に当接してもよい。この場合、第１長さは、第２長さと同じ長さである。この構成では、本発明における突出部材は、プラグをソケットに確実に固定できる。
【００５５】
さらに、挿抜方向（前後方向または上下方向）に直交する方向（上下方向または前後方向）において、本発明における突出部材の幅（直径）は、第２面の幅よりも大きくてもよい。この構成でも、本発明における突出部材は第２面よりも基板側に突出しないため、本構造は、狭領域に実装されたコネクタの抜けを防止できる。
【００５６】
さらにまた、本発明における対向部材は、ケースに限定されない。すなわち、例えば、本発明における対向部材は、ケース内において第２面に対向するように配置される基板、ケース内に収容される電子機器、でもよい。
【００５７】
さらにまた、本発明における対向部材（ケース）は、突出部材が嵌め込まれる貫通孔を有さなくてもよい。この場合、本発明における突出部材は、例えば、接着剤により対向部材（ケース）に取り付けられてもよい。
【００５８】
さらにまた、本発明におけるプラグが基板に実装され、本発明におけるソケットがプラグに対して挿抜可能に構成されてもよい。すなわち、本発明における第１コネクタがプラグでもよく、本発明における第２コネクタがソケットでもよい。
【００５９】
さらにまた、本構造を備える対象は、ロック機構を有さないフラットケーブルコネクタを用いている機器（例えば、映像分配器や映像変換機器などの電子機器）であればよく、スイッチャに限定されない。また、スイッチャの構成（例えば、入力・出力系統の数など）も、以上説明した実施の形態に限定されない。
【符号の説明】
【００６０】
１０        ケース（対向部材）
１０ａ１    外面（非対向面）
１０ａ２    内面（対向面）
１０ａｈ    貫通孔
１０ｂ１    外面（非対向面）
１０ｂ２    内面（対向面、第２対向面）
１０ｂｈ    貫通孔
９０        コネクタ
９１        制御側コネクタ
９１１      ソケット（第１コネクタ）
９１１ｂ    ソケットコンタクト（第１コンタクト）
９１２      プラグ（第２コネクタ）
９１２ａ１  第１面
９１２ａ２  第２面
９１２ｂ    プラグコンタクト（第２コンタクト）
９２        入出力側コネクタ
９２１      ソケット（第１コネクタ）
９２１ｂ    ソケットコンタクト（第１コンタクト）
９２２      プラグ（第２コネクタ）
９２２ａ１  第１面
９２２ａ２  第２面
９２２ｂ    プラグコンタクト（第２コンタクト）
１００      フラットケーブル
１１０      突出部材
１１１      第１突出部材
１１１ａ１  後端面
１１１ｂ１  先端面
１１２      第２突出部材
１１２ａ１  後端面
１１２ｂ１  先端面
【要約】
【課題】狭領域に実装されたコネクタに対するコネクタ抜け防止構造を得る。
【解決手段】本発明に係るコネクタ抜け防止構造（Ｃ）は、基板（８０）に実装された第１コネクタ（９１１，９２１）に挿し込まれた第２コネクタ（９１２，９２２）の抜けを防止するコネクタ抜け防止構造である。第２コネクタは、第１コネクタに対する第２コネクタの挿抜方向において、第１コネクタ側に配置される第１面（９１２ａ１，９２２ａ１）と、第１面の反対側に配置される第２面（９１２ａ２，９２２ａ２）と、を備える。コネクタ抜け防止構造は、第２面に対向する対向面（１０ａ２）を有する対向部材（１０）と、対向面から第２面に向けて突出する突出部材（９０）と、を有してなる。
【選択図】図３【図１】
0006971512.tif 000002
【図２】
0006971512.tif 000003
【図３】
0006971512.tif 000004
【図４】
0006971512.tif 000005